(57)【要約】      （修正有）【課題】ブラッシング時の加圧によって、ブラシ台座部が柔らかくしなって、頭の形状にフィットすることで、毛髪とブラシ毛束とが、均等に接触し、効率的に髪を梳かすことができるヘアブラシを提供する。【解決手段】長手方向の中心線に対して対称状に設けられ、長手方向の両側面１１が中心線側にいくほど高くなっており、かつ、短手方向は上下端から中心点に向かって盛り上がっている形状のブラシ台座部１と、ブラシ台座部上面に設けられた複数のブラシ毛束２または突起と、ブラシ台座部と一体的に設けられた柄部３と、を有する。ブラシ台座部には、短手方向の辺に平行して、一直線上に植え付けられたブラシ毛束が複数列設けられ、ブラシ毛束の列と列の間には、左端から右端近傍までと右端から左端近傍までの切り込み１２を交互に有する。【選択図】図１
0003202246.tif 000002
【実用新案登録請求の範囲】
【請求項１】
長手方向の中心線に対して対称状に設けられ、長手方向の両側面が中心線側にいくほど高くなっており、かつ、短手方向は中央近傍が低く両端に向かって高くなっている形状のブラシ台座部１と前記ブラシ台座部上面に設けられた複数のブラシ毛束または突起と、
前記ブラシ台座部と一体的に設けられた柄部と、を有することを特徴とするヘアブラシ。
【請求項２】
前記ブラシ台座部には、短手方向の辺に平行して、ブラシ毛束が一直線上に植え付けられたブラシ毛束の列が複数列設けられ、前記ブラシ毛束の列と列の間には、左端から右端近傍までの切り込みと、右端から左端近傍までの切り込みを交互に有したことを特徴とする請求項１に記載のヘアブラシ。
【請求項３】
前記ブラシ台座部には、短手方向の辺に平行して、ブラシ毛束が一直線上に植え付けられたブラシ毛束の列が複数列設けられ、前記ブラシ毛束の列と列の間には、横長開口が設けられたことを特徴とする請求項１に記載のヘアブラシ。
【考案の詳細な説明】
【技術分野】
【０００１】
この考案は、頭部の形状に合わせた立体形状のブラシ台座部を備え、ブラッシング時の加圧で、ブラシ台座部が、柔らかくしなって頭の凹凸にフィットし、毛髪とブラシ毛束が均一に接触して、髪を効率よく梳かすことができ、頭皮のマッサージも同時に行うことができるヘアブラシに関する。
【背景技術】
【０００２】
従来より、一般的に使用されているヘアブラシは、略長方形または楕円形状の面を有するブラシ台座部と、その下に一体的に設けられた柄部とを有し、ブラシ台座部には、突起が設けられているか、またはブラシ毛束が植え付けられているものである。これらヘアブラシにおいて、突起やブラシ毛束が設けられているブラシ台座部の上面は、フラットな平面であることが多い。頭の形状は、曲面に囲まれているので、平面的なブラシ台座をもつヘアブラシで髪を梳かすと、毛髪とヘアブラシのブラシ毛束が均一に接触せず、髪の梳かしムラができてしまい、効率よく梳かすことができないという問題がある。
【０００３】
そこで、それらの問題を改善するため、様々なヘアブラシが考案されている。特許文献１のヘアブラシは、内部に毛収容空間を有し、ブラシ台座部の穴から毛が突出する長さを変えられる構造となっており、ブラシの毛が、均一に毛髪に届くような工夫がなされている。
【０００４】
しかし、特許文献１のヘアブラシは、構造が複雑であることもあり、ブラシの毛を出し入れする穴は、ブラシ台座部に一列設けてあるだけである。そのため、毛髪全体を梳かすために、何度もブラッシングしなければならず、効率よいブラッシングできるとは言い難いものであった。また、構造が複雑であるため製造工程も複雑で、設備費や人件費がかさみ製造コストが高くなるという問題があった。
【０００５】
特許文献２のヘアブラシは、ブラシ台座部に頭の形状に近いカーブをつけてあり、頭の外周に沿った形状のブラシ台座部で、毛髪とブラシの毛をと均一に接触させるものである。しかし、頭の形状は、多種多様であるため、どの人の頭にも、ぴったり沿うカーブのヘアブラシを作成するのは難しい。そのため、毛髪とブラシの毛をと完全に均一に接触させるのは難しく、ブラッシングの効率も良いとはいえなかった。
【特許文献１】実用新案登録第３０７９２６５号公報
【特許文献２】特開２０１３−２４０４３４号公報
【考案の概要】
【考案が解決しようとする課題】
【０００６】
そこで、本考案は、上記事情の鑑み、頭の形状に沿ったカーブを備え、さらに、弾性を有する素材からなり、加圧しながらブラッシングすると、頭のカーブにブラシ台座がフィットして、ブラシの毛が毛髪に均一に接触するブラッシング効率の良いヘアブラシを提供する。
【課題を解決するための手段】
【０００７】
本考案のヘアブラシは、長手方向の中心線に対して対称状に設けられ、長手方向の両側面が中心線側にいくほど高くなっており、かつ、短手方向は上下端から中心点に向かって盛り上がっている形状のブラシ台座部と、前記ブラシ台座部上面に設けられた複数のブラシ毛束または突起と、前記ブラシ台座部と一体的に設けられた柄部と、を有することを特徴とする。
【０００８】
この考案によれば、頭の形状に沿ったカーブを備えたブラシ台座部に設けられた毛が、使用者の毛髪と均一に接触し、効率よく髪をブラッシングすることができる。
【０００９】
また、この考案のヘアブラシは、前記ブラシ台座部には、短手方向の辺に平行して、ブラシ毛束が一直線上に植え付けられたブラシ毛束の列が複数列設けられ、前記ブラシ毛束の列と列の間には、左端から右端近傍までの切り込みと、右端から左端近傍までの切り込みを交互に有したことを特徴とする。
【００１０】
この考案によれば、この考案によれば、頭の形状に沿ったカーブを備えたブラシ台座部に設けられた毛が、使用者の毛髪と均一に接触し、効率よく髪をブラッシングすることができる。また、ブラシ台座部のブラシ毛束の列と列の間には、切り込みが設けられているので、ブラシ台座部を加圧すると、ブラシ台座部がしなって、頭のカーブにフィットするので、髪を梳かしやすい。さらに、ブラシ台座部に切り込みが設けられていることによって、ドライヤーをかけながらブラッシングする際、ブラシ台座部によってドライヤーの風が遮断されることがなく、頭皮付近、毛根付近まで、均一にドライヤーの風をあてることができるので、スタイリングが決まりやすい。
【００１１】
また、この考案のヘアブラシは、前記ブラシ台座部には、短手方向の辺に平行して、ブラシ毛束が一直線上に植え付けられたブラシ毛束の列が複数列設けられ、前記ブラシ毛束の列と列の間には、横長開口が設けられたことを特徴とする。
【００１２】
この考案によれば、この考案によれば、頭の形状に沿ったカーブを備えたブラシ台座部に設けられた毛が、使用者の毛髪と均一に接触し、効率よく髪をブラッシングすることができる。また、ブラシ台座部のブラシ毛束の列と列の間には、切り込みが設けられているので、ブラシ台座部を加圧すると、ブラシ台座部がしなって、頭のカーブにフィットするので、髪を梳かしやすい。さらに、ブラシ台座部に切り込みが設けられていることによって、ドライヤーをかけながらブラッシングする際、ブラシ台座部によってドライヤーの風が遮断されることがなく、頭皮付近、毛根付近まで、均一にドライヤーの風をあてることができるので、スタイリングが決まりやすい。
【図面の簡単な説明】
【００１３】
【図１】この考案の実施形態１にかかるヘアブラシ１００の斜視図である。
【図２】図１に示したヘアブラシ１００の平面図である。
【図３】図１に示したヘアブラシ１００の底面図である。
【図４】図１に示したヘアブラシ１００の正面図である。
【図５】図１に示したヘアブラシ１００の左側面図である。
【図６】図１に示したスリッパ１００の使用状態を示す参考図である。
【図７】この考案の実施形態２にかかるヘアブラシ２００の斜視図である。
【図８】図７に示したヘアブラシ２００の平面図である。
【図９】図７に示したヘアブラシ２００の底面図である。
【図１０】図７に示したヘアブラシ２００の背面図である。
【図１１】図７に示したヘアブラシ２００の正面図である。
【図１２】図７に示したヘアブラシ２００の右側面図である。
【図１３】図７に示したヘアブラシ２００の左側面図である。
【図１４】図７に示したスリッパ２００の使用状態を示す参考図である。
【考案を実施するための形態】
【００１４】
以下、本考案を実施するための最良の形態について、実施の形態毎に説明する。
【００１５】
（実施の形態１）
図１は、この考案の実施形態１にかかるヘアブラシ１００の斜視図である。図２は、図１に示したヘアブラシ１００の平面図である。図３は、図１に示したヘアブラシ１００の底面図である。図４は、図１に示したヘアブラシ１００の正面図である。図５は、図１に示したヘアブラシ１００の左側面図である。
【００１６】
図１に示すように、本実施の形態１のヘアブラシは、長手方向の中心線に対して対称状に設けられ、長手方向の両側面が中心線側にいくほど高くなっており、かつ、短手方向は中央近傍が低く両端に向かって高くなっている形状のブラシ台座部１と、前記ブラシ台座部上面に設けられた複数のブラシ毛束２と、前記ブラシ台座部と一体的に設けられた棒形状の柄部３とを主に有する。
【００１７】
図２に示すように、ブラシ台座部１は、短手方向の辺に平行して、直線状に植え付けられたブラシ毛束２が、複数列設けられ、それぞれの列と列の間には、割れ目１２が設けられている。割れ目１２は、長手方向の辺の一方から、対向する他辺の近傍まで、左右交互に設けられている。すなわち、長手方向の辺である右辺から左辺近傍までの割れ目１２の下には、左辺から右辺近傍までの割れ目１２が設けられ、その下には、右辺から左辺近傍までの割れ目１２が設けられている。
【００１８】
ブラシ台座部１は、ポリアセタール樹脂その他のプラスチック素材からなる。ブラシ台座部１に、割れ目１２が複数設けられていることによって、ブラッシング時に、すこし加重をかけるだけで、ブラシ台座部１が柔らかくしなって、頭のカーブにフィットしてブラシ毛束２と毛髪とが均一に接触し、効率よく髪を梳かすことができる。
【００１９】
図３に示すように、割れ目１２は、横長の切り込みであって、ブラシ台座部１の右端から左端近傍まで達した割れ目１２と、ブラシ台座部１の左端から右端近傍まで達した割れ目１２が、交互に設けられている。割れ目１２は、ブラシ台座部１をしなやかに曲がりやすくして、頭のカーブにフィットさせる役割のほか、ドライヤーをあてながらブラッシングをする際に、ドライヤーの風が頭皮や毛髪に届きやすくする効果を奏する。
【００２０】
図４に示すように、ヘアブラシ１００のブラシ台座部１は、ブラシ毛束２が上側にくるように床に載置したうえで、正面から見ると、中央付近が盛り上がって、両端が低い、アーチ形状となっている。ヘアブラシ１００のブラシ台座部１が、アーチ形状となっていることで、ブラッシング時に、円を描くように手首を回しながらブラッシングすると、髪を上手にカールさせることができる。
【００２１】
ヘアブラシ２００のブラシ台座部１の厚みは、０．３センチメートル以上２センチメートル以下が望ましい。薄すぎると、ヘアブラシ２００の強度が弱く破損しやすく、厚過ぎるとヘアブラシ２００が固く重くなり、ブラッシング時柔らかく変形するしなやかさが失われてしまう。最適な厚みは、０．５センチメートル以上１センチメートル以下である。
【００２２】
図５に示すように、ヘアブラシ１００のブラシ台座部１は、左側面視、ブラシ毛束２が設けられた側の中央付近が窪んでおり、緩いアーチ形状を描いている。柄部３は、ブラシ台座部１の下方に、ブラシ台座部１と一体的に設けられた棒状物であり、手で握りやすいよう、中央付近が太く、下にいくほど細くなっている。柄部３は、ブラシ台座部１と同じポリアセタール樹脂その他のプラスチック素材で作成してもよいし、手で握りやすいよう、ポリアセタール樹脂その他のプラスチック素材で作った芯材の外周をゴム素材で覆ってもよい。
【００２３】
次に、図６を示しながら、ヘアブラシ１００の使用方法について説明する。図６は、図１に示したスリッパ１００の使用状態を示す参考図である。
【００２４】
ヘアブラシ１００は、頭部の丸みにフィットするアーチ形状のブラシ台座部１を備えており、かつ、割れ目１２が設けられていることで、ブラシ台座部１が柔らかく変形するので、軽くブラッシングするだけで、ブラシ台座部１が頭部の形状に沿った形状に変形し、ブラシ毛束２が毛髪と均一に接触し、効率よく、ブラッシングすることができる。また、ブラシ台座部１に割れ目１２が複数列設けられていることで、ヘアブラシ１００の通気性が良く、ドライヤーをあてながらブラッシングする際でも、ブラシ台座部１がドライヤーの風を遮断せず、頭皮や毛髪の根元部分に、ドライヤーの風が効率よく当たるので、スタイリングが決まりやすい。
（実施の形態２）
次に、図７から図１４を示しながら、本実施の形態２にかかるヘアブラシ２００について説明する。
【００２５】
図７は、この考案の実施形態２にかかるヘアブラシ２００の斜視図である。図８は、図７に示したヘアブラシ２００の平面図である。図９は、図７に示したヘアブラシ２００の底面図である。図１０は、図７に示したヘアブラシ２００の背面図である。図１１は、図７に示したヘアブラシ２００の正面図である。図１２は、図７に示したヘアブラシ２００の右側面図である。図１３は、図７に示したヘアブラシ２００の左側面図である。
【００２６】
図７に示すように、本実施の形態２のヘアブラシ２００は、長手方向の中心線に対して対称状に設けられ、長手方向の両側面が中心線側にいくほど高くなっており、かつ、短手方向は中央近傍が高く両端に向かって低くなっている形状のブラシ台座部１と、前記ブラシ台座部１上面に設けられた複数のブラシ毛束２と、前記ブラシ台座部と一体的に設けられた棒形状の柄部３とを主に有する。
【００２７】
図８に示すように、ブラシ台座部１は、短手方向の辺に平行して、直線状に植え付けられたブラシ毛束２が、複数列設けられ、それぞれの列と列の間には、割れ目１２が設けられている。割れ目１２は、横長に細長い楕円形状であって、割れ目１２の両端は、ブラシ台座部１の長手方向の両側端近傍まで伸びている。
【００２８】
図９に示すように、割れ目１２は、横長の切り込みであって、ブラシ毛束２の列と列との間に、設けられている。割れ目１２の両端は、ブラシ台座部１の左右端近傍まで伸びていて、割れ目１２の幅は、中央近傍がすこし広くなっている。割れ目１２が設けられていることによって、ブラシの重量が軽く、ブラッシングがしやすい。また、ブラシ台座部１の風通しを良くして、ドライヤーをあてながらブラッシングをする際、ドライヤーの風が頭皮や毛髪に届きやすくする効果も奏する。
【００２９】
図１０に示すように、ヘアブラシ２００のブラシ台座部１は、ブラシ毛束２が下側にくるように床に載置したうえで、背面から見ると、中央付近が下方に窪んで、両端が高くなっている。ヘアブラシ２００のブラシ台座部１が、窪んでいることで、ブラッシング時に、ヘアブラシ２００を持った手を、円を描くように回しながらブラッシングすると、髪を上手にカールさせることができる。
【００３０】
図１１に示すように、ヘアブラシ２００のブラシ台座部１は、ブラシ毛束２が下側にくるように床に載置したうえで、正面から見ると、中央付近が下方に窪んで、両端が高くなっている。ヘアブラシ２００のブラシ台座部１の厚みは、０．３センチメートル以上２センチメートル以下が望ましい。薄すぎると、ヘアブラシ２００の強度が弱く破損しやすく、厚過ぎるとヘアブラシ２００が固く重くなり、ブラッシング時柔らかく変形するしなやかさが失われてしまう。最適な厚みは、０．５センチメートル以上１センチメートル以下である。
【００３１】
また、ヘアブラシ２００のブラシ毛束２の長さは、１センチメートル以上６センチメートル以下が良く、最適な長さは、１．５センチメートルから２．５センチメートルである。ヘアブラシ２００のブラシ毛束２の長さは、ブラシ毛束の材質との兼ね合いで決めるとよい。柔らかい素材のブラシ毛束を使用する場合は、ブラシ毛束２の長さは短めにするとよく、硬い素材のブラシ毛束や突起でヘアブラシ２００を作成する場合はブラシ毛束２の長さや突起の長さを長めにすると、ブラッシングしやすいヘアブラシ２００とすることができる。
【００３２】
図１２に示すように、ヘアブラシ２００のブラシ台座部１は、右側面視、ブラシのブラシ毛束２が設けられた側の中央付近が窪んでおり、緩いアーチ形状を描いている。柄部３は、ブラシ台座部１の下方に、ブラシ台座部１と一体的に設けられた棒状物であり、手で握りやすいよう、中央付近が太く、下にいくほど細くなっている。柄部３は、ブラシ台座部１と同じポリアセタール樹脂その他のプラスチック素材で作成してもよいし、手で握りやすいよう、ポリアセタール樹脂その他のプラスチック素材で作った芯材の外周をゴム素材で覆ってもよい。
【００３３】
図１３に示すように、ヘアブラシ２００のブラシ台座部１は、左側面視、ブラシ毛束２が設けられた側の中央付近が窪んでおり、緩いアーチ形状を描いている。ヘアブラシ２００は、左右対称の形状となっていて、右利きの人でも、左利きの人でも、違和感なく使用できる。
【００３４】
次に、図１４を示しながら、ヘアブラシ２００の使用方法について説明する。図１４は、図７に示したスリッパ２００の使用状態を示す参考図である。
【００３５】
ヘアブラシ２００は、頭部の丸みにフィットするアーチ形状のブラシ台座部１を備えており、ブラシ台座部１が頭部の形状に沿った形状であるため、ブラシ毛束２が毛髪と均一に接触し、効率よく、ブラッシングすることができる。また、ブラシ台座部１に割れ目１２が複数列設けられていることで、ヘアブラシ１００の通気性が良く、ドライヤーをあてながらブラッシングする際でも、ブラシ台座部１がドライヤーの風を遮断せず、頭皮や毛髪の根元部分に、ドライヤーの風が効率よく当たるので、スタイリングが決まりやすい。
【符号の説明】
【００３６】
１００，２００    ヘアブラシ
１  ブラシ台座部
１１    側面
１２    割れ目
１３    台部
１４    端縁
２  ブラシ毛束
３  柄部
Ｈ    人
【図１】
0003202246.tif 000003
【図２】
0003202246.tif 000004
【図３】
0003202246.tif 000005
【図４】
0003202246.tif 000006
【図５】
0003202246.tif 000007
【図６】
0003202246.tif 000008
【図７】
0003202246.tif 000009
【図８】
0003202246.tif 000010
【図９】
0003202246.tif 000011
【図１０】
0003202246.tif 000012
【図１１】
0003202246.tif 000013
【図１２】
0003202246.tif 000014
【図１３】
0003202246.tif 000015
【図１４】
0003202246.tif 000016